(57)【要約】  ファスナー（２０）は一対のストリンガー（１２、１３）に沿って長さ方向に摺動するように配置された第１のスライダー（１０）を含む。第１のスライダー（１０）は雄部（２１）及び相補的な雌部（２２）のうちの一方を含む。雄部（２１）及び雌部（２２）のうちの他方は部材に形成される。部材は第２のスライダー（１１）又はストリンガー（１２、１３）に固定される固定具（５８）である。雄部（２１）は大きくなったヘッド部（５０）に隣接するネック部（５１）を含む。雌部は幅広部及び幅狭部（２１、２２）を有する横方向スロット（３５）を含む。２つの手を使った操作で、雄部及び雌部（２１、２２）は第１のスライダー（１０）と部材とを接続するために、横方向スロット（３５）の開口部（４３）に雄部を通す相対的な横方向の動作により相互に係合される。このようにラッチされて閉じられた場合、第１のスライダー（１０）が部材から軸方向に分離することが除外される。
2020521590.tif 000002
【特許請求の範囲】
【請求項１】
長手軸を定義する一対のストリンガーと、
前記ストリンガーに沿って長さ方向に摺動して前記ストリンガーを結合させて前記ストリンガーの間の開口を閉じるように配置される第１のスライダーであって、該第１のスライダーは一軸端に雄型連結部及び相補的な雌型連結部のうちの一方を有する、第１のスライダーと、
前記ストリンガーのうちの少なくとも一方に固定される部材であって、該部材は一軸端に前記雄型連結部及び前記雌型連結部のうちの他方を有する、部材と、
を含むファスナーであって、
前記雄型連結部は拡大されたヘッド部に隣接するネック部を含み、前記雌型連結部は、該ヘッド部及び該ネック部を摺動可能に受容できる大きさの横方向スロットを含み、該横方向スロットは幅広部及び幅狭部を有し、前記第１のスライダーと前記部材と間の相対的な回転と、結果として生じる前記ストリンガーの屈曲により、前記ヘッド部が前記スロットへと横方向に挿入でき、前記ストリンガーの曲げ剛性は前記ヘッド部を前記スロット内で維持し、前記雌型連結部の幅広部及び幅狭部の間の肩部は、前記ヘッド部が前記スロット内にある場合に前記ヘッド部に当接して前記第１のスライダーと前記部材とが軸方向に分離するのを防止し、
前記部材は、ａ）前記ストリンガーに沿って長さ方向に摺動して前記ストリンガーを結合させて前記ストリンガーの間の開口を閉じるように配置される第２のスライダー又はｂ）前記ストリンガーのうちの少なくとも一方に配置される固定具である、ファスナー。
【請求項２】
前記ストリンガーの長軸によって定義される平面によって、前記ファスナーは内側と外側とに分けられ、前記第1のスライダーの外側に第１のプルタブ取り付けポストが配置され、前記横方向スロットは、前記雄型連結部と前記雌型連結部とを接続する場合及び接続を外す場合に前記ヘッド部が横方向に通る開口部を有し、該開口部は前記第１のスライダー及び前記部材のうちの一方のそれぞれの外側に配置される、請求項１に記載のファスナー。
【請求項３】
前記雄型連結部及び前記相補的な雌型連結部のうちの前記一方は前記ファスナーの外側に配置され、前記第１のプルタブ取り付けポストから軸方向に突出する、請求項２に記載のファスナー。
【請求項４】
前記雄型連結部が前記雌型連結部に対して横方向に動くのを制限し、前記雄型連結部と前記雌型連結部との係合の可聴な印しを提供する戻り止めをさらに含む、請求項１乃至３のいずれか一項に記載のファスナー。
【請求項５】
前記ヘッド部は前記ネック部の両側から突出し、前記戻り止めは弾性材料で構成されるクリップを含み、該クリップは一対の対向するアーム部を有し、該アーム部の先端は前記雌型連結部に隣接して配置され、該先端の間に前記横方向スロットが延在し、該先端が前記雄型連結部の両側と係合し、各先端及び前記両側は突起及び相補的な凹部のうちの一方をそれぞれ含む、請求項４に記載のファスナー。
【請求項６】
前記ヘッド部は対向するランプを含み、該ランプは、前記雄型連結部と前記雌型連結部との接続の際に前記アーム部の端部を広げて離して前記雄型連結部の両側に係合させる、請求項５に記載のファスナー。
【請求項７】
前記雌型連結部は前記幅広部内に延びて前記ヘッド部と当接して前記スロット内で前記ヘッド部が横方向に動くのを制限するストップ面をさらに含む、請求項５又は６に記載のファスナー。
【請求項８】
前記第１のスライダーは、噛み合わされたストリンガーを受容する主要通路を噛み合わされていないストリンガーを受容する２つの分岐通路に分けるウェッジ面を含み、該ウェッジ面は中心平面の両側に配置され、該ウェッジ面は前記主要通路に隣接する幅狭端から幅広端に前記長手方向に分岐するように先細になっており、前記雌型連結部は前記中心平面の両側に配置される対向するフランジを含む、請求項５乃至７のいずれか一項に記載のファスナー。
【請求項９】
前記ウェッジ面は前記クリップの外面を含む、請求項８に記載のファスナー。
【請求項１０】
前記クリップは、スナップ嵌めにより前記第１のスライダーの凹部で保持される、請求項５乃至９のいずれか一項に記載のファスナー。
【請求項１１】
前記第１のスライダーは、噛み合わされたストリンガーを受容する主要通路を噛み合わされていないストリンガーを受容する２つの分岐通路に分けるウェッジ面を含み、該ウェッジ面は中心平面の両側に配置され、該ウェッジ面は前記主要通路に隣接する幅狭端から幅広端に前記長手方向に分岐するように先細になっており、前記雄型連結部は前記第１のスライダーの幅広端から突出するリブを含み、該リブの近位端は前記ネック部を形成し、該リブの遠位端は厚さが大きくなって前記ヘッド部を形成する、請求項１乃至１０のいずれか一項に記載のファスナー。
【請求項１２】
前記リブは、シャックルを受容するように適合された円形の孔をさらに含む、請求項１１に記載のファスナー。  
【発明の詳細な説明】
【技術分野】
【０００１】
本発明はファスナー（zip  fastener）であって、閉められたファスナーをラッチするためのセキュリティー機能（security  features）を有するファスナーに関する。
【背景技術】
【０００２】
ファスナーは、ある程度のセキュリティが望まれる用途で多く用いられる。閉めたファスナーをロックすることは、例えば、ジッパーの一端にある固定具にスライダーをラッチさせることにより又はジップが２つのスライダーを含む場合には２つのスライダーを互いにラッチさせることにより得られる。
【０００３】
閉めたファスナーをロックするのにパドロック等のロックを用いることができるが、この方法は全ての状況において便利でないか又は必要でないことがあり、子供が開けることができないファスナー又は偶発的な盗難をくじくのに十分な程度のセキュリティを有するジッパーを提供することが有利である。とりわけ、これは、片手で開くことが困難な構成を含み得る。特許文献１には、各々が同様のロック式プルタブを有する２つのスライダーを備えるファスナーが記載されている。プルタブは、不意の盗難に対するセキュリティーを提供するスライドアンドターン動作により互いに噛み合わせることができる。しかしながら、このシステムには、ロックプルタブの外観及びその露出位置に関連する欠点がある。その斬新な形状は、望ましくないことに、それがある種のセキュリティー機能を提供することを示唆し、とりわけ広範な製品を製造する製造業者にとって、美観上の理由から全ての製品にロック式プルタブを用いることが望ましくない場合があり、ファスナーアセンブリ内の部品数を減少させるために従来のプルタブを除外することができない。
【０００４】
特許文献２は、２つのスライダーに相補的な雄型連結部及び雌型連結部を用いて２つのスライダーを共にロックすることが記載されている。ジッパーを閉めるためにスライダーを共に軸方向に引くことで雄型連結部及び雌型連結部を係合させ、それらは弾性作用によって閉じた状態で維持される。例えば、雌型連結部から雄型連結部を取り外すために、弾性ピン（resilient  tongue）が偏向される。この構成の欠点は、一方のスライダーを他方に対して長手方向に動かして連結を解除すること（及びファスナーを開くこと）はよく知られ且つ直感的であるため、カジュアルなセキュリティー（casual  security）をほとんど提供しない。
【先行技術文献】
【特許文献】
【０００５】
【特許文献１】中国特許出願公開第１０３６５３５６６号明細書
【特許文献２】欧州特許出願公開第２００２７４４４号明細書
【発明の概要】
【発明が解決しようとする課題】
【０００６】
本発明の目的は、上記の欠点を克服するか又は実質的に改善することであり、より一般的には、改善されたファスナーを提供することである。
【課題を解決するための手段】
【０００７】
本発明の一態様によれば、ファスナーが提供される。ファスナーは、
長手軸を定義する一対のストリンガーと、
前記ストリンガーに沿って長さ方向に摺動して前記ストリンガーを結合させて前記ストリンガーの間の開口を閉じるように配置される第１のスライダーであって、該第１のスライダーは一軸端に雄型連結部及び相補的な雌型連結部のうちの一方を有する、第１のスライダーと、
前記ストリンガーのうちの少なくとも一方に固定される部材であって、該部材は一軸端に前記雄型連結部及び前記雌型連結部のうちの他方を有する、部材と、を含み、
前記雄型連結部は大きくなったヘッド部に隣接するネック部を含み、前記雌型連結部は、該ヘッド部及び該ネック部を摺動可能に受容できる（slidably  receive）大きさの横方向スロット（transverse  slot）を含み、該横方向スロットは幅広部及び幅狭部を有し、前記第１のスライダーと前記部材と間の相対的な回転と、結果として生じる前記ストリンガーの屈曲により、前記ヘッド部が前記スロットへと横方向に挿入でき、前記ストリンガーの曲げ剛性は前記ヘッド部を前記スロット内で維持し、前記雌型連結部の幅広部及び幅狭部の間の肩部は、前記ヘッド部が前記スロット内にある場合に前記ヘッド部に当接して前記第１のスライダーと前記部材とが軸方向に分離するのを防止し、
前記部材は、ａ）前記ストリンガーに沿って長さ方向に摺動して前記ストリンガーを結合させて前記ストリンガーの間の開口を閉じるように配置される第２のスライダー又はｂ）前記ストリンガーのうちの少なくとも一方に配置される固定具である。
【０００８】
この種類のファスナーでは、ストリンガーの屈曲柔軟性及びストリンガーとスライダーとの間のアソビにより閉じた状態で又は近くで手動で横方向に（部材と第１のスライダーとを）相対的に動かすことができる。一般的な用途では、ファスナーは、ストリンガーが固定される材料も柔軟であるハンドバッグ、財布、旅行鞄、スポーツバッグ、バックパック等のソフトバッグにおけるセキュリティーのために用いられる。しかしながら、必要となる横方向の動きは十分小さいため、ブリーフケースやスーツケース等のハードシェルを有するカバンにも用いることができる。
【０００９】
前記ストリンガーの長軸によって定義される平面によって、前記ファスナーは内側と外側とに分けられ、前記第1のスライダーの外側に第１のプルタブ取り付けポストが配置され、前記横方向スロットは、前記雄型連結部と前記雌型連結部とを接続する場合及び接続を外す場合に前記ヘッド部が横方向に通る開口部を有し、該開口部は前記第１のスライダー及び前記部材のうちの一方のそれぞれの外側に配置されることが好ましい。開口を容易に見えるように配置することで雄部と雌部とを係合させるのに必要な動作を簡単且つ直感的にするのに役立つ。前記雄型連結部及び前記相補的な雌型連結部のうちの前記一方は前記ファスナーの外側に配置され、前記第１のプルタブ取り付けポストから軸方向に突出することが好ましい。
【００１０】
ファスナーは前記雄型連結部が前記雌型連結部に対して横方向に動くのを制限する戻り止めをさらに含むことが好ましい。戻り止めは前記雄型連結部と前記雌型連結部との係合の可聴な印しを提供することが好ましい。互いに接続されるスライダー間の小さな相対動作のおかげで、適切な接続を視覚的に確認するのは困難であり得るため、係合の可聴な印しは有益である。
【００１１】
前記ヘッド部は前記ネック部の両側から突出し、前記戻り止めは弾性材料で構成されるクリップを含み、該クリップは一対の対向するアーム部を有し、該アーム部の先端は前記雌型連結部に隣接して配置され、該先端の間に前記横方向スロットが延在し、該先端が前記雄型連結部の両側と係合し、各先端及び前記両側は突起及び相補的な凹部のうちの一方をそれぞれ含むことが好ましい。
【００１２】
前記ヘッド部は対向するランプを含み、該ランプは、前記雄型連結部と前記雌型連結部との接続の際に前記アーム部の端部を広げて離して前記雄型連結部の両側に係合させることが好ましい。
【００１３】
前記雌型連結部は前記幅広部内に延びて前記ヘッド部と当接して前記スロット内で前記ヘッド部が横方向に動くのを制限するストップ面をさらに含むことが好ましい。
【００１４】
前記第１のスライダーは、噛み合わされたストリンガーを受容する主要通路（main  channel  that  receives）を噛み合わされていないストリンガーを受容する２つの分岐通路に分けるウェッジ面を含み、該ウェッジ面は中心平面の両側に配置され、該ウェッジ面は前記主要通路に隣接する幅狭端から幅広端に前記長手方向に分岐（diverge）するように先細になっており、前記雌型連結部は前記中心平面の両側に配置される対向するフランジを含むことが好ましい。
【００１５】
前記ウェッジ面は前記クリップの外面を含むことが好ましい。
【００１６】
前記クリップは、スナップ嵌めにより前記第１のスライダーの凹部で保持されることが好ましい。
【００１７】
前記第１のスライダーは、噛み合わされたストリンガーを受容する主要通路を噛み合わされていないストリンガーを受容する２つの分岐通路に分けるウェッジ面を含み、該ウェッジ面は中心平面の両側に配置され、該ウェッジ面は前記主要通路に隣接する幅狭端から幅広端に前記長手方向に分岐するように先細になっており、前記雄型連結部は前記第１のスライダーの幅広端から突出するリブを含み、該リブの近位端は前記ネック部を形成し、該リブの遠位端は厚さが大きくなって前記ヘッド部を形成することが好ましい。
【００１８】
雄部は第１のスライダーの幅広端から突出するリブを含むことが好ましい。フランジの近位端はネック部を形成し、該リブの遠位端は厚さが大きくなってヘッド部を形成する。各スライダーの主要通路及び分岐通路は、端部が長手方向に先細になった内壁及び外壁に隣接され、固定具は各外壁から突出し、プルタブを受容するように適合され、第１のスライダー側ではリブは固定具に接続される。
【００１９】
前記リブは、シャックルを受容するように適合された円形の孔をさらに含むことが好ましい。
【００２０】
本発明では、雄型連結部及び雌型連結部を小さく作ることができ、材料が非常に少なくて済み、係合及び係合解除のための横方向の動きも少なくて済むため有利である。        開いた状態になる動きを制限するために相互に係合されていなくても、ファスナーはその大きさ及び場所のおかげで、小さな物であっても通ることができない程度に閉めることができる。そのため、カジュアルなセキュリティー又は子供の安全対策が必要ない物でも、それを組み込むことができるため、製造業者は部品の数を減らしながらも、幅広い用途をカバーすることができる。
【図面の簡単な説明】
【００２１】
添付の図面を参照しながら、本発明の好ましい形態を以下で例示的に説明する。
【図１】図1は、本発明の第1の実施形態に係るファスナーの外側から見た図であり、離間された２つのスライダーを示す。
【図２】図２は、互いに連結された図１のスライダーを示す長手横断面の断面図である。
【図３】図３は、図１のスライダーの斜視図である。
【図４】図４は、図１のスライダーの分解斜視図である。
【図５】図５は、互いに連結された図１のスライダーを示す垂直横断面の断面図である。
【図６】図６は、図１のスライダーの内側から見た図である。
【図７】図７は、図６の線ＡＡに沿った部分断面図である。
【図８】図８は、スライダーを連結する間の一連の段階を示すための、離間した状態にある図１のスライダーの斜視図である。
【図９】図９は、スライダーを連結する間の一連の段階を示すための、中間状態にある図１のスライダーの斜視図である(１つのスライダー及びクリップの一部を断面で示す)。
【図１０】図１０は、スライダーを連結する間の一連の段階を示すための、連結された状態にある図１のスライダーの斜視図である。
【図１１】図１１は、本発明の第２の実施形態に係るファスナーの斜視図であり、離間されたスライダー及び固定具を示す。
【図１２】図１２は、相互に連結された図１１のスライダー及び固定具の斜視図である。
【図１３】図１３は、図１１の固定具の平面図である。
【図１４】図１４は、本発明の第３の実施形態に係るスライダーの分解図である。
【発明を実施するための形態】
【００２２】
図１及び図２を参照して、ファスナー２０の第１の実施形態は、概して第１のスライダー１０及び第２のスライダー１１を含む。第１のスライダー１０及び第２のスライダー１１の双方は、一対のストリンガー（stringers）１２、１３（概略的に図示）と係合する。一対のストリンガー１２、１３はよく知られた方法でメッシュ歯１４により互いに接続され得る。加えて、２つのプルタブ１５、１６（破線の輪郭で示す）が設けられ、それらは、ユーザーがストリンガー１２、１３に沿ってスライダー１０、１１を引くための改善された梃を可能にするためにスライダー１０、１１の外側にそれぞれ接続され得る。ストリンガー１２、１３に沿ったスライダー１０、１１間の相対動作はファスナー２０を開閉するか、より具体的には、ストリンガー１２、１３とスライダー１０、１１との間の開口１７を開閉する。
【００２３】
スライダー１０、１１の前端は互いに対向して配置され、それぞれ雄部２１及び雌部２２を有する。スライダー１０、１１の各後端は、長手方向に先細であり且つ主要通路２３を取り囲む同様の形状の本体１９を含む。主要通路２３は分岐して、長手方向で整合する中心平面２６の両側に２つの分岐通路２４、２５を形成する。各スライダー１０、１１の対向するウェッジ面９０、９１及び９２、９３の相互に傾斜した対は、噛み合わされたストリンガーを受容する主要通路２３を噛み合わされていないストリンガー１２、１３を受容する２つの分岐通路２４、２５に分ける。各スライダー１０、１１では、各対９０、９１、９２、９３のウェッジ面は本体１９が先細になっているため同じ方向に傾斜され、主要通路２３に隣接する後方の幅狭端２８から幅広端２９へと長手方向に分岐する。第１のスライダー１０では、ウェッジ状のウェブ４５にウェッジ面９０、９１が形成される。ウェブ４５は本体１９と一体になり、中心平面２６の両側で対称である。
【００２４】
図３に最も分かり易く示すように、本体１９は対向する内壁３０及び外壁３１をさらに含み得る。内壁３０及び外壁３１の長手方向の端は、一体の側壁３２、３３と交わるように湾曲されてもよい。内壁３０、外壁３１の端は長手方向に先細になっていてもよい。側壁３２、３３の各々は主要通路２３の一部と、２つの分岐通路２４、２５のうちの一方の一部と隣接するのに対して、内壁３０、外壁３１は、それらの内側及び外側のそれぞれで分岐通路２４、２５及び主要通路２３の双方に隣接する。側壁３２、３３の各々は、長手方向スロット３６によって２つの部分に割かれ得る。
【００２５】
図３及び図４で最も分かり易く示すプルタブ取付ポスト４０、１４０は、プルタブ１５、１６のうちの一方の開口を受容するために、スライダー１０、１１の外壁３１から突出し得る。プルタブ取付ポスト４０、１４０は、近位端４１、１４１のみが本体１９に接続され、外側に延びる脚部と、自由端４２、１４２で終端する長手延在部とを含み得る。プルタブ取付ポスト４０、１４０はファスナー２０の外側にある。ファスナー２０の外側は、中心平面２６に直交するストリンガー１３、１４の長軸により定義される長手横断面（longitudinal-transverse  plane）２７の外側にある。
【００２６】
図１及び図３を参照して、雄型連結部２１は、幅広端２９から長手方向に突出するリブの形状を概ね有し、中心平面２６によって概して二分され得る。また、雄型連結部２１は、プルタブ取付ポスト４０の脚部から長手方向に突出し得る。リブは、幅広端２９及びプルタブ取付ポスト４０と一体であり得る。雄型連結部２１の遠位端は、両側で厚さが大きくなって拡大された形のヘッド部５０を形成し、雄型連結部４５自体の対向する略平坦な側面５３、５４は、ヘッド部５０に隣接して配置されるネック部５１を形成する。雄型結合部２１はスライダー１０の外側に配置される。側面５３、５４にある凹部５６は、ファスナー２０の内側のリブに形成されてもよい。
【００２７】
図４及び図７で最も分かり易く示すように、スライダー１１上の雌型連結部２２は、中心平面２６の両側で幅広端２９から突出する対向するフランジ６０、６１を含み得る。雌型連結部２２は、プルタブ取付ポスト１４０の脚部から長手方向にも突出し得る。フランジ６０、６１は、幅広端２９及びプルタブ取付ポスト１４０と一体であり、それらの間に、ヘッド部５０及びネック部５１をそれぞれ摺動可能に受容できる大きさの幅広部３７及び幅狭部３８を有する横方向スロット３５を定義し得る。幅広部３７と幅狭部３８との間に肩部３９が配置され、ヘッド部５０と当接してヘッド部５０が横方向スロット３５内にある場合に、スライダー１０、１１が軸方向に分離するのを防止する。スライダー１１の外側には、横方向スロット３５の開口部４３が配置される。開口部４３の反対側で、ストップ面３９がスロット３５の内端を閉じ、ヘッド部５０と当接してその横方向の移動を制限し得る。
【００２８】
雄型連結部２１及び各本体１９は一体形成されて（スライダー１０を形成し）てもよく、雌型連結部２２及びその各本体１９も同様に一体形成されてもよく、ダイカストにより製造され得る。
【００２９】
図３〜図５を参照して、ファスナー２０は、スライダー１１に取り付けられるクリップ７０をさらに含む。クリップ７０は弾性材料でできており、Ｖ字状を有する。クリップ７０は中心平面２６の両側で互いに対向する一対のアーム部７１、７２を含み、一対のアーム部７１、７２は一端４７で互いに一体化され、反対側にそれぞれ自由端７３、７４を有する。雄部２１、雌部２２の連結に際して、端部７３、７４の突起４６は、突起４６が凹部５６に入る前に、先ず対向する側面５３、５４に当接する。この当接動作により、雄部２１、雌部２２の間の適切な係合を示す可聴なスナップ音が生じる。端部７３、７４において、フランジ６０、６１の外面８１、８２は、それらが隣接するクリップ７０のウェッジ面９２、９３の端部と同一平面上にあり得る。アーム部７１、７２の間及び一端４７と突起４６に隣接する肩部４８、４９との間のクリップ７０にある開口４４は、内側プレート３０と外側プレート３１との間に延在するウェブ４５の形状と相補的な形状を有する。クリップ７０は、アーム部７１、７２のうちの１つがウェブ４５のいずれかの側にある状態でスライダー１１の本体に挿入することにより取り付けられる。肩部４８、４９は、クリップ７０が挿入された場合に弾性的に離れるように促され、ウェブ４５の係合面５２に戻り、クリップ７０を定位置で永久的に保持するスナップ嵌めを形成する。
【００３０】
図８〜図１０を参照して、使用に際して、スライダー１０、１１が共に引かれると、スライダー１０、１１は、ヘッド部５０を横方向スロット３５の開口部４３から横方向に変位させるのに十分なように互いに対して横方向に第１の横方向に回転及び／又は変位される。プルタブ１５、１６の各々を各手で持つため、これには両手が必要となる（明確にするために、図８〜図１０には示していない）。例えば、スライダー１０は静止したままであるのに対して、スライダー１１は図９に示す中間状態になるように回転される。図９では、フランジ６０の一部がクリップ７０の一部とともに切り取られた状態を示している。この動きは図示のように小さく、ストリンガー１２、１３を曲げる必要があるが（明確にするために、図８〜図１０には示していない）、スライダー１０、１１の自由な長手方向の摺動を制限し得る顕著な摩擦又は結合を生じさせるには不十分である。続いて、第１の方向と反対の第２の横方向への相対的な回転及び／直線的な変位により、ヘッド部５０が開口部４３に横方向に入る。もちろん、この第２の横方向への動きは、元の状態に戻ろうとするストリンガー１２、１３により支援される。第２の横方向に継続的に移動することで、ヘッド部５０がストップ面６７の方に摺動される。ヘッド部５０がストップ面６７に到達するか又は接触すると、突起４６は可聴なクリック音を伴って凹部５６にスナップ留めされる。戻り止め作用（detent  actuation）の触覚及び可聴なフィードバックは、スライダー１０、１１が適切に接続されたことを示す。この閉まった状態では、ヘッド部５０は、肩部３９によってリップ６３の間で長手方向に引かれることが抑制され、協働する端部７３、７４と凹部５６の戻り止め作用は、ヘッド部５０が開口端６８を通って外に出て雄部２１及び雌部２２をリリースすることを抑制する。戻り止めクリップ７０及びストリンガー１３、１４の曲げ剛性の両方により、ヘッド部５０がスロット３５内で維持されるようにする。
【００３１】
第１のスライダー１０上の雄型連結部２１は、シャックルを受容するように適合された孔５５をさらに含む。同様の孔５７がフランジ６０、６１の各々に配置され、同軸に整列され得る。孔５５は、閉まった状態で孔５７と整合するように配置される。このようにして、パドロックは、より高度のセキュリティーが望まれる場合に用いることができ、そのシャックル（図示せず）は、スライダー１０、１１を接続するために孔５５、５７を貫通する。
【００３２】
図１１〜図１３を参照して、本発明のファスナー２２０の第2の実施形態は、雄部２１、雌部２２のうちの一方を有するスライダー１１(ファスナー２０と同様の形状であり、同じ参照番号で特定される）を含み、前の実施形態で、第２のスライダーに配置された雄部２１、雌部２２のうちの他方は、ストリンガーの長手端に固定される固定具５８に形成される。そのため、雄型連結部２１も同様に雌型連結部２２と対向するため、ファスナー２２０は、ファスナー２０のものに対応する方法で閉められた状態で保持できる。固定具５８は、固定具５８を取り付けるためにファスナーを受容するための孔６２を有するフランジ５９を雄型連結部２１の横方向に含み得る。シャックルを受容するように適合された孔５６も固定具５８に形成されてもよい。
【００３３】
図１４は、本発明のファスナー３２０の第３の実施形態を示す。第３の実施形態は、雌部２２が配置されるスライダー３１１の点で前述した実施形態とは異なり、スライダー３１１の本体３１９は、内壁３０及び外壁３１をそれぞれ含む内側部６４及び外側部３４のアセンブリであり得る。内側部６４及び外側部３４のそれぞれは一体の部品であってよく、ウェブ４５は、外側部３４と一体であり得る。スライダーをこのように分離することで、長手横断面2７の両側で又はそれに平行に分離することにより、ファスナーがバッグに組み付けられた場合に、ファスナを修理できる。ウェブ４５内の横方向開口に受容されるネジ６５は、内側部６４と外側部３４とを接続され得る。
【００３４】
本発明の態様を説明してきたが、それは例示に過ぎず、その範囲から逸脱することなく修正及び追加を行うことができることを理解すべきである。
【図１】
2020521590.tif 000003
【図２】
2020521590.tif 000004
【図３】
2020521590.tif 000005
【図４】
2020521590.tif 000006
【図５】
2020521590.tif 000007
【図６】
2020521590.tif 000008
【図７】
2020521590.tif 000009
【図８】
2020521590.tif 000010
【図９】
2020521590.tif 000011
【図１０】
2020521590.tif 000012
【図１１】
2020521590.tif 000013
【図１２】
2020521590.tif 000014
【図１３】
2020521590.tif 000015
【図１４】
2020521590.tif 000016
【国際調査報告】
2020521590.tif 000017
2020521590.tif 000018
2020521590.tif 000019